【手続補正書】
【提出日】平成16年9月8日(2004.9.8)
【手続補正１】
【補正対象書類名】明細書
【補正対象項目名】特許請求の範囲
【補正方法】変更
【補正の内容】
【特許請求の範囲】
【請求項１】
独自無線通信機能を備えた情報機器と前記独自無線通信機能を備えた公衆回線端末とを無線通信可能に構成した無線通信システムであって、
前記情報機器は、当該情報機器に装着された電子認証カードの認証情報に基づき、当該情報機器と前記公衆回線端末とがペアであることを示すペアリングＩＤを生成し、前記ペアリングＩＤを用いて前記公衆回線端末とペアリング動作を実行し、
前記公衆回線端末は、当該公衆回線端末に装着された電子認証カードの認証情報に基づき、当該公衆回線端末と前記情報機器とがペアであることを示すペアリングＩＤを生成し、前記ペアリングＩＤを用いて前記情報機器とペアリング動作を実行し、当該公衆回線端末を介して前記情報機器を公衆回線に接続することを特徴とする無線通信システム。
【請求項２】
前記情報機器は、前記電子認証カードが装着される第一の装着手段と、前記電子認証カードへのアクセス用のパスコードを入力する第一の入力手段と、前記電子認証カードの認証情報に基づき前記公衆回線端末とのペアリング用キーのseedデータとして計算したペアリングＩＤを生成する第一の生成手段と、前記ペアリングＩＤを用いて前記公衆回線端末とペアリング動作を実行する第一の実行手段とを有し、
前記公衆回線端末は、前記電子認証カードが装着される第二の装着手段と、前記電子認証カードへのアクセス用のパスコードを入力する第二の入力手段と、前記電子認証カードの認証情報に基づき前記情報機器とのペアリング用キーのseedデータとして計算したペアリングＩＤを生成する第二の生成手段と、前記ペアリングＩＤを用いて前記情報機器とペアリング動作を実行する第二の実行手段と、前記ペアリング動作を実行した当該公衆回線端末の独自無線通信機能を介して前記情報機器を前記公衆回線に接続する接続手段とを有することを特徴とする請求項１記載の無線通信システム。
【請求項３】
独自無線通信機能を備えた公衆回線端末との間で無線通信可能に構成され前記独自無線通信機能を備えた情報機器であって、
当該情報機器に装着された電子認証カードの認証情報に基づき、当該情報機器と前記公衆回線端末とがペアであることを示すペアリングＩＤを生成し、前記ペアリングＩＤを用いて前記公衆回線端末とペアリング動作を実行することを特徴とする情報機器。
【請求項４】
独自無線通信機能を備えた情報機器との間で無線通信可能に構成され前記独自無線通信機能を備えた公衆回線端末であって、
当該公衆回線端末に装着された電子認証カードの認証情報に基づき、当該公衆回線端末と前記情報機器とがペアであることを示すペアリングＩＤを生成し、前記ペアリングＩＤを用いて前記情報機器とペアリング動作を実行し、当該公衆回線端末を介して前記情報機器を公衆回線に接続することを特徴とする公衆回線端末。
【請求項５】
独自無線通信機能を備えた情報機器と前記独自無線通信機能を備えた公衆回線端末に装着可能な電子認証カードであって、
前記情報機器もしくは前記公衆回線端末へのカード装着時に、前記情報機器もしくは前記公衆回線端末から入力されたパスコードと予めカード内に格納されたパスコードとを照合し、前記両パスコードが一致した場合にカード内の認証情報を前記情報機器もしくは前記公衆回線端末へ出力する認証情報出力手段を有することを特徴とする電子認証カード。
【請求項６】
独自無線通信機能を備えた情報機器と前記独自無線通信機能を備えた公衆回線端末とを無線通信可能に構成した無線通信システムにおけるペアリングＩＤ設定方法であって、
前記情報機器は、当該情報機器に装着された電子認証カードの認証情報に基づき、当該情報機器と前記公衆回線端末とがペアであることを示すペアリングＩＤを生成し、前記ペアリングＩＤを用いて前記公衆回線端末とペアリング動作を実行し、
前記公衆回線端末は、当該公衆回線端末に装着された電子認証カードの認証情報に基づき、当該公衆回線端末と前記情報機器とがペアであることを示すペアリングＩＤを生成し、前記ペアリングＩＤを用いて前記情報機器とペアリング動作を実行し、当該公衆回線端末を介して前記情報機器を公衆回線に接続することを特徴とするペアリングＩＤ設定方法。
【請求項７】
独自無線通信機能を備えた公衆回線端末との間で無線通信可能に構成され前記独自無線通信機能を備えた情報機器に適用されるペアリングＩＤ設定方法を実行するプログラムを記憶したコンピュータにより読み出し可能な記憶媒体であって、
前記情報機器において、当該情報機器に装着された電子認証カードの認証情報に基づき、当該情報機器と前記公衆回線端末とがペアであることを示すペアリングＩＤを生成するステップと、前記ペアリングＩＤを用いて前記公衆回線端末とペアリング動作を実行するステップとを有することを特徴とする記憶媒体。
【請求項８】
独自無線通信機能を備えた情報機器との間で無線通信可能に構成され前記独自無線通信機能を備えた公衆回線端末に適用されるペアリングＩＤ設定方法を実行するプログラムを記憶したコンピュータにより読み出し可能な記憶媒体であって、
前記公衆回線端末において、当該公衆回線端末に装着された電子認証カードの認証情報に基づき、当該公衆回線端末と前記情報機器とがペアであることを示すペアリングＩＤを生成するステップと、前記ペアリングＩＤを用いて前記情報機器とペアリング動作を実行するステップと、当該公衆回線端末を介して前記情報機器を公衆回線に接続するステップとを有することを特徴とする記憶媒体。
【請求項９】
独自無線通信機能を備えた情報機器と前記独自無線通信機能を備えた公衆回線端末とを無線通信可能に構成した無線通信システムの前記情報機器に供給されるプログラムであって、
前記情報機器において、当該情報機器に装着された電子認証カードの認証情報に基づき、当該情報機器と前記公衆回線端末とがペアであることを示すペアリングＩＤを生成するステップと、前記ペアリングＩＤを用いて前記公衆回線端末とペアリング動作を実行するステップとを有することを特徴とするプログラム。
【請求項１０】
独自無線通信機能を備えた情報機器と前記独自無線通信機能を備えた公衆回線端末とを無線通信可能に構成した無線通信システムの前記公衆回線端末に供給されるプログラムであって、
前記公衆回線端末において、当該公衆回線端末に装着された電子認証カードの認証情報に基づき、当該公衆回線端末と前記情報機器とがペアであることを示すペアリングＩＤを生成するステップと、前記ペアリングＩＤを用いて前記情報機器とペアリング動作を実行するステップと、当該公衆回線端末を介して前記情報機器を公衆回線に接続するステップとを有することを特徴とするプログラム。
【手続補正２】
【補正対象書類名】明細書
【補正対象項目名】００１４
【補正方法】変更
【補正の内容】
【００１４】
また、本発明は、独自無線通信機能を備えた公衆回線端末との間で無線通信可能に構成され前記独自無線通信機能を備えた情報機器に適用されるペアリングＩＤ設定方法を実行するプログラムを記憶したコンピュータにより読み出し可能な記憶媒体であって、前記情報機器において、当該情報機器に装着された電子認証カードの認証情報に基づき、当該情報機器と前記公衆回線端末とがペアであることを示すペアリングＩＤを生成するステップと、前記ペアリングＩＤを用いて前記公衆回線端末とペアリング動作を実行するステップとを有することを特徴とする。
また、本発明は、独自無線通信機能を備えた情報機器との間で無線通信可能に構成され前記独自無線通信機能を備えた公衆回線端末に適用されるペアリングＩＤ設定方法を実行するプログラムを記憶したコンピュータにより読み出し可能な記憶媒体であって、前記公衆回線端末において、当該公衆回線端末に装着された電子認証カードの認証情報に基づき、当該公衆回線端末と前記情報機器とがペアであることを示すペアリングＩＤを生成するステップと、前記ペアリングＩＤを用いて前記情報機器とペアリング動作を実行するステップと、当該公衆回線端末を介して前記情報機器を公衆回線に接続するステップとを有することを特徴とする。
【手続補正３】
【補正対象書類名】明細書
【補正対象項目名】００１５
【補正方法】変更
【補正の内容】
【００１５】
また、本発明は、独自無線通信機能を備えた情報機器と前記独自無線通信機能を備えた公衆回線端末とを無線通信可能に構成した無線通信システムの前記情報機器に供給されるプログラムであって、前記情報機器において、当該情報機器に装着された電子認証カードの認証情報に基づき、当該情報機器と前記公衆回線端末とがペアであることを示すペアリングＩＤを生成するステップと、前記ペアリングＩＤを用いて前記公衆回線端末とペアリング動作を実行するステップとを有することを特徴とする。
また、本発明は、独自無線通信機能を備えた情報機器と前記独自無線通信機能を備えた公衆回線端末とを無線通信可能に構成した無線通信システムの前記公衆回線端末に供給されるプログラムであって、前記公衆回線端末において、当該公衆回線端末に装着された電子認証カードの認証情報に基づき、当該公衆回線端末と前記情報機器とがペアであることを示すペアリングＩＤを生成するステップと、前記ペアリングＩＤを用いて前記情報機器とペアリング動作を実行するステップと、当該公衆回線端末を介して前記情報機器を公衆回線に接続するステップとを有することを特徴とする。